(57)【特許請求の範囲】
【請求項１】
風洞の吸込口の周囲が室内の壁や天井に沿うフランジ部で囲まれ、このフランジ部の外周に壁や天井に延び出し当接する立上りを有する換気扇本体、この換気扇本体の前記立上りの端縁に設けられた電源コードを外部へ引出すための切欠き、この切欠き近くに移動可能に設置され、ファンモーターと電源コードや電源接続子を電気的に接続する接続子の保護のための保護部材とを備え、前記保護部材には電源コードを引出すための前記切欠きをその移動により開閉する前記立上りに並立するプレート部を設けた換気扇。
【請求項２】
請求項１に記載の換気扇であって、立上りとプレート部を密接させた換気扇。
【請求項３】
請求項１又は請求項２のいずれかに記載の換気扇であって、換気扇本体の背面に位置決めのためのリブを設け、保護部材のプレート部には前記リブに接するように突起を設けた換気扇。
【請求項４】
請求項１〜請求項３までのいずれかに記載の換気扇であって、電源コードは不要で切欠きを閉止する換気扇本体には、プレート部が切欠きを開放する位置には他部品の干渉により保護部材が取付けできないようにした換気扇。
【請求項５】
請求項１〜請求項４までのいずれかに記載の換気扇であって、保護部材の移動を長孔とネジの係合によって行った換気扇。
【請求項６】
請求項１〜請求項４までのいずれかに記載の換気扇であって、保護部材の移動を長孔とネジの係合によって行い、その長孔の中央部には狭小部を設けた換気扇。
【請求項７】
請求項１〜請求項４までのいずれかに記載の換気扇であって、保護部材の移動を長孔とネジの係合によって行い、その長孔の中央部に弾性を持つ爪で狭小部を設けた換気扇。
【発明の詳細な説明】
【技術分野】
【０００１】
本発明は、ファンモーターと電気的に接続される電源コードまたは電源接続子を設けた換気扇に関するものである。
【背景技術】
【０００２】
壁や天井に取付けられる換気扇においては、換気扇側に電源コードを設けて壁等のコンセントに繋いで使用するものと、換気扇内部に電源接続子を設けて壁内から引出した電源線に接続して使用するものがある。前者では電源コードは本体やグリルの一側に設けられた切欠きから外部へ引出されている。後者では換気扇内部に電源接続子を設けて電源線に接続される（なお、この種の従来技術としては特許文献１や特許文献２に示されているようなものがある）。
【０００３】
【特許文献１】特開２００１−３３６７９５号公報
【特許文献２】特開２００６−７８１２９号公報
【発明の開示】
【発明が解決しようとする課題】
【０００４】
こうした換気扇では、強い外風や室内の負圧により一時的に室外から室内へ気流が逆流することがある。開閉シャッターを室内側に備え、電源コードが本体やグリルの一側に設けられた切欠きから外部へ引出されているものでは、逆流した気流が換気扇本体内を通じて壁や天井の隙間や切欠きから室内へ吹き出してしまうことがある。外気には塵埃が含まれ、これらが壁や天井に付着して壁や天井を汚す原因となっている。換気扇内部に電源接続子を設けたものでは、切欠きがなくこうした問題はあまり起きないが、電源接続方法の違いで切欠きの有無を変えねばならず金型の数が増加したり金型が複雑になったり、部品管理の手間がかかったりしてコストが嵩む。
【０００５】
本発明は、上記した従来の問題点を解決するためになされたもので、その目的とするところは、切欠きを簡単に開閉できる手立てにより電源接続方法の違いに拘らず換気扇本体を共通化することができる、金型費用の低減や部品管理の手間のかからない換気扇を得ることである。
【課題を解決するための手段】
【０００６】
上記目的を達成するために本発明は、風洞の吸込口の周囲が室内の壁や天井に沿うフランジ部で囲まれ、このフランジ部の外周に壁や天井に延び出し当接する立上りを有する換気扇本体と、換気扇本体の立上りの端縁に設けられた電源コードを外部へ引出すための切欠きと、切欠き近くに移動可能に設けられ、ファンモーターと電源コードや電源接続子を電気的に接続する接続子の保護のための保護部材とを備え、その保護部材には電源コードを引出すための切欠きをその移動により開閉する立上りに並立するプレート部を設ける手段を採用する。
【発明の効果】
【０００７】
本発明によれば、プレート部で電源コードを引出すための切欠きを保護部材の移動により立上りに密接して開閉できるため、電源接続方法の違いに拘らず換気扇本体を共通化することができ、金型費用の低減や部品管理の手間のかからない換気扇が得られる。
【発明を実施するための最良の形態】
【０００８】
本発明の換気扇は、ファンモーターを風洞の中心線上に取付けた換気扇本体を備え、壁や天井の室内側に取付けられるものである。風洞の正面に開口した吸込口の周囲は、室内の壁や天井に沿う半径方向に張り出すフランジ部で囲まれ、このフランジ部の外周に壁や天井側に延び出し当接する立上りが設けられている。換気扇本体の立上りの端縁には、電源コードを外部へ引出すための切欠きが設けられている。切欠きは、電源コードを挿通させるに足る寸法形状で、電源コードとの間に隙間を作らない。切欠き近くは、ファンモーターと電源コードや電源接続子を電気的に接続する接続子の保護のための箱状の保護部材が設けられている。
【０００９】
保護部材は、フランジ部の背面と立上りの背面との入隅部分に収まる大きさで、横並びに二個の孔が近接して設けられ、このうちの一つを使ってフランジ部の背面に設けられたネジ孔へのネジ締めにより取付けられている。保護部材にはセルフヒンジで開閉できる蓋が付いていて、電源接続子を電気的に接続する接続子がコードとともに収納されている。保護部材には電源コードを引出すための切欠きをその移動により開閉する、立上りに密接重合するプレート部が一体に設けられている。プレート部には切欠きに重なる切欠きと、立上りに重なる閉塞部を、横並びの二個の孔の間隔と同じ間隔で設けられている。一方の孔を使って保護部材を取付けると立上りの切欠きは、プレート部の切欠きと重なり開放され、他方の孔を使って保護部材を取付けると立上りの切欠きは、プレート部の閉塞部と重なり閉止される。
【００１０】
本発明によれば、プレート部で電源コードを引出すための切欠きを保護部材の移動により立上りに密接して開閉できるため、電源接続方法の違いに拘らず換気扇本体を共通化することができ、金型費用の低減や部品管理の手間のかからない換気扇が得られることになる。
【００１１】
実施の形態１．
図１は、本実施の形態の換気扇の全体を示す斜視図、図２は、電源コードによる電源接続方法を採った換気扇の背面視での斜視図、図３は、電源接続子による電源接続方法を採った換気扇の背面視での斜視図、図４は、換気扇本体の要部の背面視での分解斜視図、図５は、保護ケースを単独で示す斜視図、図６は、フランジ部と立上りの構造を示す要部の斜視図、図７は、フランジ部と立上りの構造を示す要部の断面図、図８は、換気扇本体の要部の背面図、図９は、他の形態の締付部の斜視図、図１０は、他の形態の締付部の斜視図、図１１は、さらに他の形態の締付部の斜視図である。
【００１２】
本実施の形態の換気扇は、ファンモーター１を風洞２内に取付けた換気扇本体３を備え、壁や天井の室内側に取付けられるものである。換気扇本体３の前面には、図１〜図３に示すように運転時には風洞を開放し、停止時には閉鎖するシャッター４を備えた化粧グリル５が装着されている。換気の主体となるファンモーター１は、風洞２の室外側端に延びた四本の取付脚６によって図２や図３に示すように風洞２の中心線上に取付けられている。風洞２の正面に開口した吸込口７の周囲は、室内の壁や天井に沿う半径方向に張り出す角形や丸形のフランジ部８で囲まれ、このフランジ部８の外周に壁や天井側に延び出し、壁面や天井面に当接する自由端側に広がった立上り９が設けられている。
【００１３】
換気扇本体３の立上り９の自由端縁には、電源コード１０を外部へ引出すための切欠き１１が設けられている（図１参照）。切欠き１１は、電源コード１０を挿通させるに足る寸法形状で、引出した電源コード１０との間に隙間を作らない。シャッター４を開閉するモーター１２はフランジ部８の背面の一隅部に図２，３に示すように収められ、このモーター１２とファンモーター１は、接続子１３によって電源コード１０に接続されるか、または、図４に示すように電源接続子１４と電気的に接続される。切欠き１１近くは、接続子１３を収納し保護するための難燃電気絶縁材の樹脂でできた箱状の保護ケース１５が設けられている。
【００１４】
保護ケース１５は、フランジ部８の背面と立上り９の背面との入隅部分に収まる大きさで、換気扇本体３への締付部１６と引掛爪１７が設けられ、引掛爪１７を換気扇本体３の係合孔１８に引掛け、締付部１６をフランジ部８の背面に設けられたネジボス１９にネジ締めすることによって取付けられている（図５，図６参照）。締付部１６には横並びに設けられた二個の孔２０が近接して設けられ、このうちの一つを使ってフランジ部８のネジボス１９へネジ締めされる。保護ケース１５にはセルフヒンジで開閉できる蓋２１が付いている。保護ケース１５には電源コード１０を引出すための立上り９に設けた切欠き１１をその移動により開閉する立上り９に密接して重合するプレート部２２が一体に設けられている。
【００１５】
プレート部２２には切欠き１１に重なる切欠き２３と、立上り９に重なる閉塞部２４を、締付部１６の横並びの二個の孔２０の間隔と同じ間隔で設けられている（図５参照）。一方の孔を使って保護ケース１５を取付けると立上り９の切欠き１１は、プレート部２２の切欠き２３と重なり開放され、他方の孔２０を使って保護ケース１５を取付けると立上り９の切欠き１１は、プレート部２２の閉塞部２４と重なり閉止される。換気扇本体３の係合孔１８は、引掛爪１７の幅と締付部１６の二個の孔２０の中心点距離を合わせた寸法と同等か、やや大きく構成され、二個の孔２０のいずれを使った場合でも引掛爪１７を保持し、さらに孔を変更する場合に保護ケース１５を換気扇本体３から外さずにスライドさせるだけで位置を変えることができる。
【００１６】
換気扇本体３のフランジ部８の背面には、保護ケース１５のプレート部２２が立上り９に密着するようにガイドリブ２５が図７に示すように設けられ、これによりプレート部２２が立上り９の背面に押し付けられるように支持されている。電源接続子タイプの場合、電源接続子１４を換気扇本体３のフランジ部８背面と立上り９の背面の入隅隅部に収納する。この場合、保護ケース１５の締付部１６の二つの孔２０は、プレート部２２が切欠き１１を閉塞する位置となる孔２０しか使うことができないように、電源接続子１４と保護ケース１５が干渉する位置に設定されている（図８参照）。これにより、電源接続子タイプで保護ケース１５の取付間違いが防止される。
【００１７】
保護ケース１５の締付部１６の二つの孔２０については、図９に示すように二つの孔２０を連ねた長孔２６に構成すれば、ネジを外さずに緩めて締めるだけで保護ケース１５の位置を変えることができる。施工時に電源コード１０の引出し位置を変更するような場合、元々開放している切欠き１１を簡単に閉止させることができる。さらに、図１０に示すように長孔２６の中央部にネジの径よりやや狭くした狭小部２７を設けても良い。この狭小部２７により保護ケース１５の位置を変えるときにネジが狭い狭小部２７を通り抜けるために応力が必要となり、さらに狭小部２７を超えたときに応力が開放されることによって、正規の位置に移動が完了したことが解りやすくなる。また、狭小部２７があることによって保護ケース１５が元の位置に戻るようなことも防止することができる。狭小部２７の構成と同様な作用効果を、図１１に示すように長孔２６の中央部にネジの径よりやや狭くしたバネ爪２８による狭小部を設けても奏することができる。
【００１８】
なお、化粧グリル５は換気扇本体３の前面に嵌め装着され、換気扇本体３のフランジ部８の端及び立上り９を抱込む構造を備え、切欠き１１に対応する位置に切欠きが設けられているがこの切欠きについては電源接続方法の違いによって開閉する必要はない。この実施の形態１によれば、プレート部２２で電源コード１０を引出すための切欠き１１を保護ケース１５の移動により立上り９に密接して開閉できるため、電源接続方法の違いに拘らず換気扇本体３を共通化することができ、金型費用の低減や部品管理の手間のかからない換気扇が得られる。
【００１９】
実施の形態２．
図１２，図１３によって示す本実施の形態は、換気扇本体の切欠きを開閉する開閉手段を換気扇本体に設けたもので、これに係る構成以外は基本的に実施の形態１のものと同じである。従って、実施の形態１と同じ部分については同じ符号を用い、それらについての説明は省略する。
【００２０】
開閉手段である開閉プレート２９は、切欠き１１を開閉する動作が図１２に示すように引き戸状のスライド式、または、図１３に示すようなセルフヒンジ式になっている。開閉プレート２９は、立上り９の外側に設けた方が開閉操作は楽であるが、外観性能からは立上り９の背面に設けた方が良い。この実施の形態２では開閉プレート２９の分、金型が多くなるものの、金型構造も簡単で換気扇本体３の共通化が推進できる。
【図面の簡単な説明】
【００２１】
【図１】換気扇の全体を示す斜視図である。（実施の形態１）
【図２】電源コードによる電源接続方法を採った換気扇の背面視での斜視図である。（実施の形態１）
【図３】電源接続子による電源接続方法を採った換気扇の背面視での斜視図である。（実施の形態１）
【図４】換気扇本体の要部の背面視での分解斜視図である。（実施の形態１）
【図５】保護ケースを単独で示す斜視図である。（実施の形態１）
【図６】フランジ部と立上りの構造を示す要部の斜視図である。（実施の形態１）
【図７】フランジ部と立上りの構造を示す要部の断面図である。（実施の形態１）
【図８】換気扇本体の要部の背面図である。（実施の形態１）
【図９】他の形態の締付部の斜視図である。（実施の形態１）
【図１０】他の形態の締付部の斜視図である。（実施の形態１）
【図１１】さらに他の形態の締付部の斜視図である。（実施の形態１）
【図１２】換気扇本体の要部の背面図である。（実施の形態２）
【図１３】換気扇本体の要部の背面図である。（実施の形態２）
【符号の説明】
【００２２】
１  ファンモーター、  ２  風洞、  ３  換気扇本体、  ７  吸込口、  ８  フランジ部、  ９  立上り、  １０  電源コード、  １１  切欠き、  １３  接続子、  １４  電源接続子、  １５  保護ケース、  ２２  プレート部、  ２５  ガイドリブ、  ２６  長孔、  ２７  狭小部、  ２８  バネ爪、  ２９  開閉プレート。
【図１】
0005145978.tif 000002
【図２】
0005145978.tif 000003
【図３】
0005145978.tif 000004
【図４】
0005145978.tif 000005
【図５】
0005145978.tif 000006
【図６】
0005145978.tif 000007
【図７】
0005145978.tif 000008
【図８】
0005145978.tif 000009
【図９】
0005145978.tif 000010
【図１０】
0005145978.tif 000011
【図１１】
0005145978.tif 000012
【図１２】
0005145978.tif 000013
【図１３】
0005145978.tif 000014